(57)【要約】【課題】  消音器の前端の閉塞部からの不要な音の発生を抑制する技術的手段を提供する。【解決手段】  筐体は、略円錐管状の胴部１１と皿状の底部１２とから構成され、胴部１１の前端である大径側端１１ａと閉塞部として機能する底部１２の縁とが接合されている。底部１２と胴部１１の接合部近傍における底部１２の外壁から同接合部近傍における胴部１１の外壁に亙って固定部２０が設けられている。筐体をベル３内に挿入したとき、固定部２０は、ベル３の内壁に密着する。固定部２０を介して底部１２の外壁がベル３に固定されるため、管楽器の吹奏に伴う底部１２の外壁の振動を抑制することができ、底部１２からの不要な音の発生を抑制することができる。【選択図】図１
2015018143.tif 000002
【特許請求の範囲】
【請求項１】
前端を閉塞する閉塞部を有し、後端が開口し、後端側から管楽器のベル内に挿入される中空の筐体と、
前記閉塞部の外壁に設けられ、前記閉塞部の外壁の振動を抑制する固定部と、
を具備することを特徴とする消音器。
【請求項２】
前記固定部が前記ベルの内壁に密着することを特徴とする請求項１に記載の消音器。
【請求項３】
前記固定部は伸縮性を有する部材から構成され、前記固定部を伸長して前記ベルの端部に留めることを特徴とする請求項１に記載の消音器。
【請求項４】
前記固定部は前記閉塞部の外壁から管楽器の外壁に向かう支持体であり、前記固定部を管楽器の外壁に留めることを特徴とする請求項１に記載の消音器。
【請求項５】
前記固定部は、制振部材を有し、前記制振部材を前記閉塞部の外壁に取り付けたことを特徴とする請求項１から４のいずれか１の請求項に記載の消音器。
【発明の詳細な説明】
【技術分野】
【０００１】
この発明は、消音器に関する。
【背景技術】
【０００２】
トランペットなどの管楽器の音量を少なくする目的で使用される消音器がある。この種の消音器は、一般に、前端を閉塞する閉塞部を有し、後端が開口している中空の筐体から構成されている。この従来の消音器は、後端側から管楽器のベル内に挿入され、後端近傍の筐体の外壁に設けられた柔軟な素材からなる取り付け部を介してベルに固定される（例えば特許文献１参照）。
【先行技術文献】
【特許文献】
【０００３】
【特許文献１】特許第４９８６０９１号公報
【発明の概要】
【発明が解決しようとする課題】
【０００４】
従来の消音器を管楽器のベル内に装着して管楽器を吹奏すると、ベル内に吹奏周波数の音波が生じる。ベル内から消音器の内部に入った音波は、吹奏周波数に対応した周波数で消音器の内部の気圧を変化させる。これにより、消音器の外部（管楽器の外部）の気圧と消音器の内部の気圧との間に気圧差が生じ、その気圧差は吹奏周波数に対応した周波数で変化する。その結果、消音器の前端を閉塞する閉塞部の外壁が大きく振動する。ここで、閉塞部の外壁は比較的大きな面積を有しているため、振動する閉塞部の外壁を振動板として捉えることができ、閉塞部は発音部として機能する。このため、従来の消音器は、管楽器の吹奏に伴い閉塞部の外壁の振動に起因する不要な音が閉塞部から発生する、という問題があった。
【０００５】
この発明は以上のような事情に鑑みてなされたものであり、消音器の前端の閉塞部からの不要な音の発生を抑制する技術的手段を提供することを目的としている。
【課題を解決するための手段】
【０００６】
この発明は、前端を閉塞する閉塞部を有し、後端が開口し、後端側から管楽器のベル内に挿入される中空の筐体と、前記閉塞部の外壁に設けられ、前記閉塞部の外壁の振動を抑制する固定部と、を具備することを特徴とする消音器を提供する。
【０００７】
この発明によれば、消音器の前端を閉塞する閉塞部の外壁に閉塞部の外壁の振動を抑圧する固定部が設けられているため、管楽器の吹奏により生じた音波による消音器内外の気圧差の変化に伴う閉塞部の外壁の振動を抑制することができる。従って、閉塞部からの不要な音の発生を抑制することができる。
【図面の簡単な説明】
【０００８】
【図１】この発明の第１実施形態による消音器１の構成を示す縦断面図および正面図である。
【図２】この発明の第２実施形態による消音器１Ａの構成を示す縦断面図および正面図である。
【図３】この発明の第３実施形態による消音器１Ｂの構成を示す縦断面図および正面図である。
【図４】この発明の第４実施形態による消音器１Ｃの構成をベル３の端面近傍を一部透視して示す側面図および正面図である。
【発明を実施するための形態】
【０００９】
以下、図面を参照し、この発明の実施形態について説明する。
＜第１実施形態＞
図１（Ａ）は、この発明の第１実施形態による消音器１の構成を示す縦断面図であり、図１（Ｂ）は、同正面図である。本実施形態による消音器１は、トランペット用の消音器であり、図１は、消音器１をトランペットに装着した状態を示す。図１に示すように、本実施形態の消音器１は、消音器１の筐体を構成する胴部１１と底部１２の接合部近傍の底部１２の外壁に固定部２０を設け、当該固定部２０を介して底部１２の外壁をベル３の内壁に固定することにより、底部１２の外壁の振動を抑制したものである。ここで、管楽器（トランペット）におけるベル３とは、音量を増大させるために管楽器の管の径が徐々に広げられた呼気の排出口付近の部分のことを言う。
【００１０】
胴部１１および底部１２は、例えば、プラスチックを成形してなるものである。胴部１１は、略円錐管形状であり、胴部１１の内部に空洞１３を有する。この胴部１１は、前端である大径側端１１ａから後端である小径側端１１ｂに向かってトランペットのベル３の内壁に沿うようにして外径および内径が小さくなっている。そして、後端である小径側端１１ｂは開口している。
【００１１】
底部１２は、皿状であり、皿の底の部分が消音器１の軸近傍に位置している。また、底部１２の縁の部分は、胴部１１の大径側端１１ａと接着剤等により接合されている。底部１２は、胴部１１の大径側端１１ａを閉塞する閉塞部として機能する。また、筐体をベル３内に挿入したとき、底部１２は、ベル３の端面近傍に位置する。より詳細には、底部１２の縁がベル３の端面に位置し、底部１２は、当該底部１２が湾曲している分だけベル３の端面よりも外側（前方側）に突出する。
【００１２】
固定部２０は、略リング状であり、例えば、低反発ゴム素材やスポンジ素材などから構成される。固定部２０は、筐体の閉塞部（すなわち底部１２）の外壁に設けられている。より詳細に説明すると、固定部２０は、胴部１１と底部１２の接合部近傍の底部１２の外壁から胴部１１と底部１２の接合部近傍の胴部１１の外壁にかけて接着剤等により固定されている。すなわち、固定部２０は、底部１２の周縁を取り囲むように固定されている。
【００１３】
固定部２０は、筐体をトランペットのベル３内に挿入したときのベル３の端部近傍の内壁と底部１２の周縁近傍における筐体の外壁との間の間隙よりも少し大きな厚みを有している。このため、筐体をベル３内に挿入したとき、ベル３の内壁と筐体の外壁との間において固定部２０が圧縮される。そして、圧縮された固定部２０が元の形状に戻ろうとすることにより、固定部２０の表面がベル３の内壁に密着する。これにより、底部１２の周縁近傍の筐体がベル３に固定される。すなわち、閉塞部である底部１２の外壁がトランペットに固定されることになる。また、固定部２０によりベル３の内壁と筐体の外壁との間が胴部１１の軸の周りに亙って閉塞される。
【００１４】
また、底部１２の内壁には、一端が底部１２の内壁近傍において開口されているＵ字パイプ３７の他端が固定されている。底部１２のＵ字パイプ３７が固定されている部分には、貫通孔１５が設けられており、Ｕ字パイプ３７の内径および貫通孔１５の径は、トランペットのマウスピースの最小内径と同径以上となっている。トランペットのマウスピースから吹き込まれトランペット内を通過し、消音器１の胴部１１の小径側端１１ｂから消音器１内の空洞１３に導入された呼気は、Ｕ字パイプ３７を通過し貫通孔１５から消音器１の外部の空間に排出される。
【００１５】
また、底部１２の中心近傍における消音器１の内部側には、底部１２から胴部１１の小径側端１１ｂ方向に胴部１１の軸に沿って配置される信号線保護管３１を支えるための支持部３２が設けられている。信号線保護管３１の先端にはマイク３３が取り付けられており、信号線保護管３１の内部にはマイク３３に接続された信号線３４が挿通されている。この信号線３４は、底部１２の中心に設けられたイヤホンジャックなどの信号出力部３５に接続されている。また、信号線保護管３１のマイク３３側端近傍には、補助胴部３６が固定されている。補助胴部３６は、ベル３の内壁に沿うようにして信号線保護管３１のマイク３３側端に向かって外径および内径が小さくなっている。補助胴部３６の大径側端３６ａは開口しており、同小径側端３６ｂは信号線保護管３１の先端において閉口している。
以上が、消音器１の構成である。
なお、底部１２の外壁に、例えば、手指を挿入するリングなどの手指を掛けることができる構造を設けて、消音器１をトランペットから取り外すことを容易にしても良い。
【００１６】
次に、本実施形態による消音器１の動作を説明する。消音器１は、底部１２の周縁近傍に設けられた固定部２０がベル３の内壁により圧縮されるまでベル３内に押し込まれる。これにより、圧縮された固定部２０がベル３の内壁に密着し、筐体（より正確には底部１２の周縁近傍）がベル３に固定される。すなわち、固定部２０は、消音器１をトランペットに固定する役割を担う。また、消音器１をトランペットに固定した状態でトランペットを吹奏するとベル３内に吹奏周波数の音波が発生する。ベル３内に発生した音波は、胴部１１の小径側端１１ｂから空洞１３内に入り、吹奏周波数に対応した周波数で消音器１内の気圧を変化させる。これにより、消音器１の内外の気圧差が吹奏周波数に対応した周波数で変化する。このため、消音器１内の音波は、底部１２の外壁を振動させようとする。しかし、消音器１では、固定部２０により底部１２の外壁がベル３の内壁に物理的におさえつけられている。このため、消音器１では、消音器１の内外に気圧差が生じても、固定部２０により底部１２の外壁の振動が抑圧され、底部１２の外壁が大きく振動することはない。すなわち、固定部２０は、吹奏による底部１２の外壁の振動を抑制する役割も担う。
【００１７】
このように、本実施形態による消音器１は、閉塞部である底部１２の周縁近傍の外壁にトランペットのベル３の内壁と密着する固定部２０を設けている。これにより、消音器１をトランペットに固定することができるとともに、特に底部１２の外壁がトランペットに固定されるためトランペットの吹奏による底部１２の外壁の振動を抑制することができる。従って、本実施形態による消音器１は、底部１２の外壁の振動に起因する不要な音の発生を抑制することができる。
【００１８】
＜第２実施形態＞
図２（Ａ）は、この発明の第２実施形態による消音器１Ａの構成を示す縦断面図であり、図２（Ｂ）は、同正面図である。本実施形態による消音器１Ａは、固定部２０に代えて固定部２０Ａとし、取り付け部１４を追加した点において第１実施形態による消音器１と異なる。本実施形態による消音器１Ａは、底部１２の外壁をベル３の端部に固定するものである。
【００１９】
図２（Ｂ）の正面図に示すように、固定部２０Ａは、底部１２の外壁近傍において胴部１１の軸の周りに沿った方向の９０度毎に各々設けられている。すなわち、２個の固定部２０Ａと胴部１１の軸とのなす角が１８０度となる固定部２０Ａが２組設けられている。固定部２０Ａは、伸長部４１とクリップ４２とから構成される。伸長部４１は、長方形のシート状であり、例えば、ゴムなどの伸縮性を有する素材から構成される。伸長部４１は、伸長部４１の長辺方向が胴部１１の軸から遠ざかる方向となるように配置される。伸長部４１における中心側短辺４１ａ近傍の底部１２側の面は、底部１２の中心と底部１２の縁との間において底部１２の外壁に接着剤等により固定されている。伸長部４１における縁側短辺４１ｂ近傍の底部１２側の面には、クリップ４２が固定されている。消音器１Ａがトランペットに固定されていない時、胴部１１の軸から伸長部４１の縁側短辺４１ｂまでの長さは、ベル３の軸からベル３の端部までの長さよりも短くなっている。伸長部４１の縁側短辺４１ｂ近傍を胴部１１の軸から遠ざかる方向に引っ張ると、伸長部４１は、底部１２に固定された中心側短辺４１ａ近傍とクリップ４２が固定された縁側短辺４１ｂ近傍との間において長辺方向に付勢状態で伸長し、胴部１１の軸から伸長部４１の縁側短辺４１ｂまでの長さがベル３の軸からベル３の端部までの長さ程度まで長くなる。
【００２０】
クリップ４２は、断面が略Ｓ字状の１対のアーム４３および４４を回転軸４５において回転自在に接続してなるものである。クリップ４２の両アーム４３および４４の各々の挟持部４３ａおよび４４ａは、通常時、バネなどにより弾性的に付勢されて互いに当接している。両アーム４３および４４の各々のつまみ部４３ｂおよび４４ｂを付勢力に抗して互いに近付ける方向に操作すると、両アーム４３および４４の各々の挟持部４３ａおよび４４ａは、つまみ部４３ｂおよび４４ｂに連動して互いに離れる方向に動く。また、つまみ部４３ｂおよび４４ｂにおいて付勢力に抗して加えた力を抜くように操作すると、両アーム４３および４４の各々の挟持部４３ａおよび４４ａは、つまみ部４３ｂおよび４４ｂに連動して付勢力により互いに近づく方向に動く。このとき、両アーム４３および４４の各々の挟持部４３ａおよび４４ａの間に物があれば、クリップ４２は、付勢力により当該物を挟んで留める。
【００２１】
また、胴部１１における小径側端１１ｂ近傍の外壁には、胴部１１の軸の周りに亙って柔軟な素材からなる取り付け部１４が設けられている。胴部１１は、この取り付け部１４を介してベル３に固定される。また、取り付け部１４を介して胴部１１がベル３に固定されると、ベル３の内壁と胴部１１の外壁との間が閉塞される。従って、消音器１Ａでは、筐体のベル３への固定と消音のための密閉は取り付け部１４が担い、固定部２０Ａは、底部１２の外壁をベル３に固定して底部１２の外壁が振動するのを抑制する役割を担う。
以上が、消音器１Ａの構成である。
【００２２】
次に、本実施形態による消音器１Ａの動作を説明する。まず、ユーザは、消音器１Ａを小径側端１１ｂ側からベル３内に挿入し、取り付け部１４をベル３の内壁に当接させて胴部１１をベル３に固定させる。胴部１１がベル３に固定されると、ベル３の内壁と胴部１１の外壁との間が取り付け部１４により閉塞され、底部１２の外壁に設けられた固定部２０Ａがベル３の端面近傍に配置される。次に、固定部２０Ａの伸長部４１の縁側短辺４１ｂ近傍（あるいは縁側短辺４１ｂ近傍に接続されているクリップ４２）をベル３の軸から遠ざかる方向に引っ張り、固定部２０Ａの伸長部４１を伸長させる。次に、伸長させた伸長部４１の縁側短辺４１ｂ近傍に設けられているクリップ４２のつまみ部４３ｂおよび４４ｂに力を加えて挟持部４３ａおよび４４ａを互いに離し、挟持部４３ａおよび４４ａの間にベル３の端部を挿入する。そして、つまみ部４３ｂおよび４４ｂに加えた力を抜いて挟持部４３ａおよび４４ａを互いに近づけて挟持部４３ａおよび４４ａの間にベル３の端部を挟み、ベル３の端部に当該クリップ４２を留める。同様にしてすべてのクリップ４２をベル３の端部に留める。
【００２３】
このように、本実施形態による消音器１Ａでは、筐体の閉塞部である底部１２の外壁に取り付けられた固定部２０Ａを伸長して固定部２０Ａの先端をトランペットのベル３の端部に留める。このようにすると、付勢状態で伸長している固定部２０Ａにより底部１２の外壁がベル３に固定されるため、当該固定部２０Ａにより底部１２の外壁の振動が抑制される。また、各々の固定部２０Ａは２個の固定部２０Ａと胴部１１の軸とのなす角が１８０度となるように配置されているため、当該２個の固定部２０Ａは互いに反対方向に付勢状態で伸長することとなり、底部１２の外壁の振動を均一的に抑制することができる。従って、本実施形態においても第１実施形態と同様の効果を奏する。
【００２４】
＜第３実施形態＞
図３（Ａ）は、この発明の第３実施形態による消音器１Ｂの構成を示す縦断面図であり、図３（Ｂ）は、同正面図である。本実施形態による消音器１Ｂは、固定部２０Ａに代えて制振部材４６を有する固定部２０Ｂを設けた点において第２実施形態による消音器１Ａと異なる。
【００２５】
固定部２０Ｂは、シート状部材４７とクリップ４２と制振部材４６とから構成される。制振部材４６は、円形のシート状をなしている。制振部材４６の縁からなる円の直径は、底部１２の縁からなる円の直径よりも小さくなっている。制振部材４６の一方の面には、粘着テープが貼り付けられている。制振部材４６は、例えば伸縮するゴムより硬い弾性部材や樹脂部材や金属部材からなり、粘着テープが貼り付けられている面を対象物に貼り付けることにより当該対象物の振動を抑制することができるように設計された部材である。制振部材４６は、制振部材４６の中心が胴部１１の軸に位置するように配置され、粘着テープが貼り付けられている面が底部１２の外壁に貼り付けられて当該底部１２の外壁に固定される。なお、制振部材４６は、円形のシート状に限られない。例えば、円環のシート状とし、円環の中心の穴を底部１２の中心の信号出力部３５に合わせることにより、信号出力部３５が制振部材４６により塞がれることを防止するようにしても良い。また、制振部材４６は、底部１２の外壁に対して着脱可能としても良い。
【００２６】
シート状部材４７は、略長方形のシート状をなしている。シート状部材４７は、伸縮性のある材料からなるものに限られない点において第２実施形態による伸長部４１と異なる。シート状部材４７は、制振部材４６の縁から底部１２の縁方向に向かって配置されている。また、シート状部材４７は、胴部１１の軸の周りに沿って９０度毎に配置されている。シート状部材４７における制振部材４６側の短辺近傍の底部１２側の面は、底部１２の外壁に接着剤等により固定されている。シート状部材４７における底部１２の縁側の短辺近傍の底部１２側の面には、クリップ４２が固定されている。クリップ４２は、第２実施形態による消音器１Ａのクリップ４２と同様である。また、シート状部材４７の長辺方向は、胴部１１の軸からシート状部材４７における底部１２の縁側の短辺までの長さがベル３の軸からベル３の端部までの長さと同程度になる程度の長さを有する。また、制振部材４６およびシート状部材４７は、呼気の排気穴として機能する底部１２の貫通孔１５を塞がないようにして底部１２の外壁に固定されている。
以上が、消音器１Ｂの構成である。
【００２７】
次に、本実施形態による消音器１Ｂの動作を説明する。ユーザは、消音器１Ｂを小径側端１１ｂからベル３内に挿入し、取り付け部１４をベル３の内壁に当接させて胴部１１をベル３に固定させる。次に、ベル３の端面近傍に配置された底部１２の外壁に設けられた固定部２０Ｂのクリップ４２をベル３の端部に各々留める。そして、トランペットを吹奏すると、吹奏により生じた音波は底部１２の外壁を振動させようとするが、底部１２の外壁に設けられた制振部材４６により底部１２の外壁の振動が抑制される。
【００２８】
本実施形態においても第１および第２実施形態と同様の効果を奏する。なお、本実施形態の固定部２０Ｂはシート状部材４７とクリップ４２と制振部材４６とから構成されていたが、固定部２０Ｂにおいてシート状部材４７とクリップ４２は必須の構成要素ではない。本実施形態における特徴部分は制振部材４６であり、底部１２の外壁に制振部材４６のみを設けることにより底部１２の外壁の振動を抑制することができるからである。
【００２９】
＜第４実施形態＞
図４（Ａ）は、この発明の第４実施形態による消音器１Ｃの構成をベル３の端面近傍を一部透視して示す側面図であり、図４（Ｂ）は、同正面図である。本実施形態による消音器１Ｂは、固定部２０Ａに代えて固定部２０Ｃとした点において第２実施形態による消音器１Ａと異なる。本実施形態による消音器１Ｃは、底部１２の外壁をトランペットの外壁に固定するものである。
【００３０】
固定部２０Ｃは、把持部５１、Ｕ字部材５２、前端側アーム５３、長さ調節部５４、後端側アーム５５およびベルト５６から構成される。把持部５１、Ｕ字部材５２、前端側アーム５３、長さ調節部５４および後端側アーム５５は、例えば、アルミなどの金属や木材などの剛性のある素材から構成されており、ベルト５６は、例えば、プラスチックや布などの柔軟な素材から構成されている。
【００３１】
把持部５１は、底部１２と同様な皿状であり、把持部５１の内壁（皿の内側の面）が底部１２の外壁に固定される。なお、把持部５１は、底部１２の外壁に対して着脱可能としても良い。Ｕ字部材５２は、Ｕ字状に湾曲した棒状部材であり、把持部５１の中央近傍においてＵ字部材５２の両端が把持部５１の外壁に接合されている。Ｕ字状部材５２の湾曲部５２ａには、前端側アーム５３が接合されている。前端側アーム５３は、屈曲した棒状部材である。前端側アーム５３は、胴部１１の軸の延長線に沿ってＵ字部材５２の湾曲部５２ａからベル３から遠ざかる方向に延び、前端側アーム５３の途中において胴部１１の軸の延長線から遠ざかる方向に９０度屈曲して延び、前端側アーム５３の先端近傍において胴部１１の軸の延長線と平行でありベル３に向かう方向に９０度屈曲して延びている。
【００３２】
長さ調節部５４は、大径パイプ５４ａ内に小径パイプ５４ｂが挿入された入子状をなしている。そして、長さ調節部５４は、小径パイプ５４ｂを大径パイプ５４ａ内から引き出すことで、長さ調節部５４の長さを長くすることができ、小径パイプ５４ｂを大径パイプ５４ａ内に挿入することで、長さ調節部５４の長さを短くすることができる。また、大径パイプ５４ａと小径パイプ５４ｂは、小径パイプ５４ｂが大径パイプ５４ａ内から完全に抜け出て大径パイプ５４ａと小径パイプ５４ｂとが分離しないように係合している。また、長さ調節部５４の軸は、胴部１１の軸と平行している。長さ調節部５４の大径パイプ５４ａの先端には、前端側アーム５３が接続されており、同小径パイプ５４ｂの先端には、後端側アーム５５が接続されている。
【００３３】
後端側アーム５５は、屈曲した棒状部材である。後端側アーム５５は、長さ調節部５４の小径パイプ５４ｂの先端から胴部１１の軸と平行でありベル３の後端に向かう方向に延び、後端側アーム５５の途中において胴部１１の軸に向かう方向に９０度屈曲してベル３の外壁近傍まで延びている。後端側アーム５５におけるベル３の外壁近傍の端にはベルト５６が接続されている。ベルト５６は、略長方形のシート状である。また、ベルト５６の長辺方向の長さは、ベル３の軸の周りに沿った方向のトランペットの外壁の長さ（トランペットの外周長）よりも長くなっている。このベルト５６は、ベルト５６の長辺方向がベル３の軸の周りに沿った方向となるようにしてトランペットの外壁（例えばベル３の後端近傍の外壁）に巻き付けられる。そして、ベルト５６の両短辺近傍の面に設けられた面ファスナーを結合させるなどによりベルト５６はトランペットの外壁に留められる。なお、ベルト５６は、両短辺近傍の面に面ファスナーを設けた略長方形のシート状のものに限られず、固定部２０Ｃをトランペットの外壁に固定することができるものであれば良い。
【００３４】
すなわち、固定部２０Ｃは、筐体の閉塞部である底部１２の外壁からトランペットの外壁に向かう支持体であり、固定部２０Ｃの一端が底部１２の外壁に取り付けられ、固定部２０Ｃの他端がトランペットの外壁に留められる。
【００３５】
また、第２実施形態による消音器１Ａと同様に、胴部１１における小径側端１１ｂ近傍の外壁に取り付け部１４が設けられている。
【００３６】
従って、第２実施形態による消音器１Ａと同様に、筐体のベル３への固定と消音のための密閉は取り付け部１４が担い、固定部２０Ｃは、底部１２の外壁をトランペットに固定して底部１２の外壁が振動するのを抑制する役割を担う。
以上が、消音器１Ｃの構成である。
【００３７】
次に、本実施形態による消音器１Ｃの動作を説明する。まず、固定部２０Ｃの長さ調節部５４の小径パイプ５４ｂを大径パイプ５４ａ内から引き出して長さ調節部５４の長さを長くする。次に、筐体の後端側をベル３の内側に向かう方向に向けて当該消音器１Ｃを配置し、固定部２０Ｃのベルト５６をトランペットの外壁に巻き付けて留める。そして、長さ調節部５４の小径パイプ５４ｂを大径パイプ５４ａ内に挿入して長さ調節部５４の長さを短くする。このとき、長さ調節部５４の軸は、胴部１１の軸（すなわちベル３の軸）と平行しているため、長さ調節部５４の長さを短くすることにより、長さ調節部５４の大径パイプ５４ａに連結している前端側アーム５３、Ｕ字部材５２および把持部５１は、胴部１１の軸に平行してベル３の後端側（内側）に向かう方向に移動する。これにより、固定部２０Ｃの把持部５１により固定された消音器１Ｃの筐体は、取り付け部１４がベル３の内壁に当接するまでベル３の後端側に向かう方向に移動する。そして、胴部１１が取り付け部１４によりベル３に固定され、ベル３の端面近傍に底部１２が配置される。なお、ベルト５６をトランペットの外壁に巻き付けた後に胴部１１をベル３内に固定する例を説明したが、胴部１１をベル３内に固定した後に長さ調節部５４の長さを調整しつつベルト５６をトランペットの外壁に巻き付けても良い。
【００３８】
底部１２の外壁が固定部２０Ｃを介してトランペットの外壁に固定されることにより、底部１２の外壁の振動が抑制される。従って、本実施形態においても第１から第３実施形態と同様の効果を奏する。
【００３９】
＜他の実施形態＞
以上、この発明の第１〜第４実施形態について説明したが、この発明には他にも実施形態が考えられる。例えば次の通りである。
【００４０】
（１）上記各実施形態では、トランペット用の消音器１〜１Ｃを例に説明したが、トランペット以外の管楽器に用いる消音器においても同様な消音器を設計することができるのは勿論である。
【００４１】
（２）上記各実施形態の消音器１〜１Ｃにおける各技術を併用しても良い。また、上記第１実施形態の消音器１において、第２〜４実施形態の消音器１Ａ〜１Ｃと同様に、胴部１１をベル３に固定するための部材（取り付け部１４）を小径側端１１ｂ近傍の胴部１１の外壁に設けても良い。また、上記第３実施形態の消音器１Ｂにおける制振部材４６を他の実施形態の消音器１〜１Ｃの底部１２の外壁に取り付けても良い。
【００４２】
（３）上記各実施形態の消音器１〜１Ｃは、当該消音器１〜１Ｃを管楽器に装着したときに底部１２がベル３の端面近傍に位置していた。しかし、消音器を管楽器に装着したときに底部１２がベル３の端面から前方に突出する消音器に上記各実施形態における固定部２０〜２０Ｃを設けても良い。
【００４３】
（４）上記第１実施形態の消音器１の固定部２０は、底部１２の周縁全体に亙って設けられていた。しかし、固定部２０は、底部１２の周縁に離散的に設けても良い。なお、この場合、ベル３の内壁と胴部１１の外壁との間を通り、離散的に設けた各固定部２０の間の間隙を通ってベル３内からベル３外へ呼気が排気されないように、胴部１１の外壁にベル３の内壁と胴部１１の外壁との間を塞ぐ部材（例えば第２実施形態における取り付け部１４など）を設けることが好ましい。
【００４４】
（５）上記第１実施形態の消音器１の固定部２０は、低反発ゴムやスポンジなどの素材を用いていた。しかし、固定部２０の素材は、これらに限られない。例えば、両面粘着テープや、熱により一時的に接着機能を発現する熱可塑性フィルムなどを用いても良い。要は、底部１２の外壁およびベル３の内壁に密着し、かつ、管楽器に対して消音器１を容易に着脱可能な素材であれば良い。
【００４５】
（６）上記第２実施形態の消音器１Ａでは、２個の固定部２０Ａと胴部１１の軸とのなす角が１８０度となる固定部２０Ａが２組設けられていた。しかし、固定部２０Ａの個数は２組に限られない。例えば、固定部２０Ａの個数を増やすことで、管楽器に底部１２の外壁をより確実に固定させることができる。
【００４６】
（７）上記第２実施形態の消音器１Ａの固定部２０Ａは、接着等により底部１２の外壁に固定されていた。しかし、固定部２０Ａは、底部１２の外壁から取り外すことができるようにしても良い。例えば、面ファスナーの一方を伸長部４１に取り付け、それと対になる面ファスナーの他方を底部１２の外壁に取り付けるようにしても良い。この態様によれば、面ファスナーの面を結合させることにより底部１２の外壁に固定部２０Ａを固定することができ、結合されている面ファスナーの面を互いに引き剥がすことにより底部１２の外壁から固定部２０Ａを取り外すことができる。
【００４７】
（８）上記第２実施形態の消音器１Ａでは、クリップ４２によりベル３の端部を挟むことにより固定部２０Ａをベル３の端部に留めていた。しかし、固定部２０Ａをベル３の端部に留める態様は、ベル３の端部を挟んで留めることに限られない。例えば、伸長部４１の先端に接続されたフックなどをベル３の端部に引っ掛けて当該固定部２０Ａをベル３の端部に留める態様にしても良い。
【００４８】
（９）上記第４実施形態の消音器１Ｃにおいて、固定部２０Ｃの長さ調節部５４の大径パイプ５４ａの先端は前端側アーム５３と接続されており、同小径パイプ５４ｂの先端は後端側アーム５５と接続されていた。しかし、長さ調節部５４の大径パイプ５４ａの先端と前端側アーム５３との間および長さ調節部５４の小径パイプ５４ｂの先端と後端側アーム５５との間を着脱可能としても良い。このように長さ調節部５４を前端側アーム５３および後端側アーム５５から着脱可能とすることにより、長さ調節部５４を伸縮長が異なる他の長さ調節部５４に変更することが可能となるため、ベル３の寸法（あるいは管楽器本体の寸法）が異なる他の管楽器に消音器１Ｃを装着することができる。
【符号の説明】
【００４９】
１，１Ａ，１Ｂ，１Ｃ…消音器、３…ベル、１１…胴部、１１ａ，３６ａ…大径側端、１１ｂ，３６ｂ…小径側端、１２…底部、１３…空洞、１４…取り付け部、１５…貫通孔、２０，２０Ａ，２０Ｂ，２０Ｃ…固定部、３１…信号線保護管、３２…支持部、３３…マイク、３４…信号線、３５…信号出力部、３６…補助胴部、３７…Ｕ字パイプ、４１…伸長部、４１ａ…中心側端、４１ｂ…縁側端、４２…クリップ、４３，４４…アーム、４３ａ，４４ａ…挟持部、４３ｂ，４４ｂ…つまみ部、４５…回転軸、４６…制振部材、４７…シート状部材、５１…把持部、５２…Ｕ字部材、５２ａ…湾曲部、５３…前端側アーム、５４…長さ調節部、５４ａ…大径パイプ、５４ｂ…小径パイプ、５５…後端側アーム、５６…バンド。
【図１】
2015018143.tif 000003
【図２】
2015018143.tif 000004
【図３】
2015018143.tif 000005
【図４】
2015018143.tif 000006